(57)【要約】  本発明は、切替えユニット（３６）を備えた内燃エンジンバルブトレイン切替え装置に基づいている。  切替えユニット（３６）が、少なくとも２つのスイッチユニット（１、２）と、少なくとも１つの切替え手段（３、４）とを備えた少なくとも１つの作動ユニット（３８）を有しており、この作動ユニットが、少なくとも１つの作動モードにおいて、少なくとも２つのスイッチユニット（１、２）を、少なくとも部分的には時間的にずれた形で作動させるために設けられていることが提案されている。【選択図】図１
2010535966.tif 000002
【特許請求の範囲】
【請求項１】
１つの切替えユニット（３６）を備えた内燃エンジンバルブトレイン切替え装置であって、
前記切替えユニット（３６）が、少なくとも２つのスイッチユニット（１、２）と少なくとも１つの切替え手段（３、４）とを備えた少なくとも１つの作動ユニット（３８）を有しており、前記切替え手段が、少なくとも１つの作動モードにおいて、少なくとも２つの前記スイッチユニット（１、２）を、少なくとも部分的に、時間的にずれた形で作動させるために設けられていることを特徴とする、内燃エンジンバルブトレイン切替え装置。
【請求項２】
前記作動ユニット（３８）が、少なくとも前記スイッチユニット（１、２）の位置に応じて、前記切替え手段（３、４）に対して相対的に、前記スイッチユニット（１、２）を、少なくとも１つの作動モードにおいて相互に独立に作動させるために設けられていることを特徴とする、請求項１に記載の内燃エンジンバルブトレイン切替え装置。
【請求項３】
前記作動ユニット（３８）が、少なくとも１つの信号に基づいて、第１の切替え動作を実施した後に、電子的解析とは無関係に第２の切替え動作を実施するために設けられていることを特徴とする、請求項１又は２に記載の内燃エンジンバルブトレイン切替え装置。
【請求項４】
前記作動ユニット（３８）が、少なくとも部分的には、機械式ユニット（４０）として形成されていることを特徴とする、請求項１ないし３のいずれか一項に記載の内燃エンジンバルブトレイン切替え装置。
【請求項５】
前記作動ユニット（３８）が、少なくとも部分的には、トランスミッションとして形成されていることを特徴とする、請求項１ないし４のいずれか一項に記載の内燃エンジンバルブトレイン切替え装置。
【請求項６】
前記作動ユニット（３８）が、バルブトレインの切替え、及び／又は少なくとも１つのバルブリフト曲線の変更、及び／又は少なくとも１つのバルブの遮断、及び／又は１つの内燃エンジンの作動モードの少なくとも１つの変更を生じさせるために設けられていることを特徴とする、請求項１ないし５のいずれか一項に記載の内燃エンジンバルブトレイン切替え装置。
【請求項７】
前記作動ユニット（３８）が、少なくとも１つのスイッチユニット（１、２）の、少なくとも１つの位置変更に応じて、前記切替え手段（３、４）に対して相対的に、前記スイッチユニット（１、２）の中の１つを作動させるために設けられていることを特徴とする、請求項１ないし６のいずれか一項に記載の内燃エンジンバルブトレイン切替え装置。
【請求項８】
前記作動ユニット（３８）の少なくとも２つの切替え手段（３、４）が、それぞれ、相異なった切替え方向に割り当てられていることを特徴とする、請求項１ないし７のいずれか一項に記載の内燃エンジンバルブトレイン切替え装置。
【請求項９】
前記切替え手段（３、４）が、前記スイッチユニット（１、２）に対応しており、該スイッチユニット（１、２）が、それらの運動において少なくとも部分的に連結解除されていることを特徴とする、請求項１ないし８のいずれか一項に記載の内燃エンジンバルブトレイン切替え装置。
【請求項１０】
前記作動ユニット（３８）が、少なくとも１つの作動モードにおいて、前記スイッチユニット（１、２）を同時に作動させるために設けられていることを特徴とする、請求項１ないし９のいずれか一項に記載の内燃エンジンバルブトレイン切替え装置。
【請求項１１】
前記作動ユニット（３８）が、少なくとも２つの制御手段（５２、５４）を有しており、該制御手段が、前記作動ユニット（３８）の少なくとも２つの前記スイッチユニット（１、２）の、相互に対向した端部（５６、５８）上に位置決めされていることを特徴とする、請求項１ないし１０のいずれか一項に記載の内燃エンジンバルブトレイン切替え装置。
【請求項１２】
前記制御手段（５２、５４）が、少なくとも１つの制御ガイド（５、６）を形成していることを特徴とする、請求項１１に記載の内燃エンジンバルブトレイン切替え装置。
【請求項１３】
前記作動ユニット（３８）が、少なくとも１つの制御ガイド（５、６）を有しており、該制御ガイドが、前記スイッチユニット（１、２）の少なくとも２つによって形成されていることを特徴とする、請求項１ないし１２のいずれか一項に記載の内燃エンジンバルブトレイン切替え装置。
【請求項１４】
前記制御ガイド（５、６）が、前記切替え手段（３、４）によって１つの定義された切替えシーケンスにおいて前記スイッチユニット（１、２）が作動可能であるように形成されていることを特徴とする、請求項１２又は１３に記載の内燃エンジンバルブトレイン切替え装置。
【請求項１５】
前記作動ユニット（３８）が、少なくとも１つの制御ガイド（５、６）を有しており、該制御ガイドが、前記切替え手段（３、４）との相互作用によってバルブトレインの切替えを生じさせるために設けられていることを特徴とする、請求項１ないし１４のいずれか一項に記載の内燃エンジンバルブトレイン切替え装置。
【請求項１６】
前記スイッチユニット（１、２）が、少なくとも１つの制御手段（５２、５４）を有しており、該制御手段（５２、５４）が、前記切替え手段（３、４）との相互作用に基づいて、前記スイッチユニット（１、２）及び／又は前記切替え手段（３、４）の少なくとも１つの機能を変更するために設けられていることを特徴とする、請求項１ないし１５のいずれか一項に記載の内燃エンジンバルブトレイン切替え装置。
【請求項１７】
前記機能が、前記切替え手段（３、４）を前記スイッチユニット（１、２）の中へ挿入することであり、及び／又は前記切替え手段（３、４）を前記スイッチユニット（１、２）から排出することであり、及び／又は前記スイッチユニット（１、２）を前記切替え手段（３、４）によって作動させることであり、及び／又は前記切替え手段（３、４）を一方のスイッチユニット（１、２）からもう一方のスイッチユニット（１、２）へと転換することであり、及び／又は前記スイッチユニット（１、２）の動きを静止させることであることを特徴とする、請求項１６に記載の内燃エンジンバルブトレイン切替え装置。
【請求項１８】
前記作動ユニット（３８）が、少なくとも１つの制御ガイド（５、６）を有しており、該制御ガイドが、前記切替え手段（３、４）によって少なくとも１つの半径方向に当接されるために設けられていることを特徴とする、請求項１ないし１７のいずれか一項に記載の内燃エンジンバルブトレイン切替え装置。
【請求項１９】
前記作動ユニット（３８）が、１つのカムシャフト（４６）と、少なくとも大部分では、前記カムシャフト（４６）に割り当てられているバルブのバルブリフト曲線がスイッチユニット（１，２）によって変更可能であるような前記スイッチユニット（１、２）と、を有し、前記スイッチユニット（１、２）が、前記切替え手段（３、４）によって作動させられるために設けられていることを特徴とする、請求項１ないし１８のいずれか一項に記載の内燃エンジンバルブトレイン切替え装置。
【請求項２０】
前記切替え手段（３、４）が、切替えピンとして形成されていることを特徴とする、請求項１ないし１９のいずれか一項に記載の内燃エンジンバルブトレイン切替え装置。
【請求項２１】
前記スイッチユニット（１、２）と、少なくとも１つの切替え手段（３、４）とが、互いの相互作用によって前記切替え手段（３、４）に対して相対的に前記スイッチユニット（１、２）の軸方向の移動を生じさせ、それによってバルブトレインの切替えを生じさせるために設けられていることを特徴とする、請求項１ないし２０のいずれか一項に記載の内燃エンジンバルブトレイン切替え装置。
【請求項２２】
前記スイッチユニット（１、２）が、少なくとも部分的には相異なった輪郭を有するカム（７、８、２６、２７、２８、２９、３０、３１、４８、５０）を備えたカムシャフト（４６）の、軸方向に移動可能な部品として形成されていることを特徴とする、請求項１ないし２１のいずれか一項に記載の内燃エンジンバルブトレイン切替え装置。
【請求項２３】
特に、請求項１ないし２２のいずれか一項に記載の内燃エンジンバルブトレイン切替え装置による内燃エンジンバルブトレイン切替え方法であって、
少なくとも１つの信号に基づいて第１の切替え動作が実施された後に、電子的解析とは無関係に第２の切替え動作が実施される、内燃エンジンバルブトレイン切替え方法。
【請求項２４】
少なくとも１つの切替え手段（３、４）と、少なくとも２つのスイッチユニット（１、２）とを含む前記作動ユニット（３８）が、少なくとも前記スイッチユニット（１、２）の位置に応じて、前記切替え手段（３、４）に対して相対的に、前記スイッチユニット（１、２）を、少なくとも１つの作動モードにおいて相互に独立に作動させるために設けられていることを特徴とする、請求項２３に記載の内燃エンジンバルブトレイン切替え方法。
【請求項２５】
１つの切替え手段（３、４）が、相異なったスイッチユニット（１、２）を、該スイッチユニット（１、２）の位置変更に応じて、前記切替え手段（３、４）に対して相対的に作動させることを特徴とする、請求項２３又は２４に記載の内燃エンジンバルブトレイン切替え方法。
【発明の詳細な説明】
【技術分野】
【０００１】
本発明は、請求項１の前提部分に基づく内燃エンジンバルブトレイン切替え装置に関する。
【背景技術】
【０００２】
特許文献１（独国特許出願公開ＤＥ１０２００５００６４８９Ａ１号明細書）から、相互に連結された切替え動作が同時に実施される、内燃エンジンバルブトレイン切替え装置が公知である。
【先行技術文献】
【特許文献】
【０００３】
【特許文献１】独国特許出願公開ＤＥ１０２００５００６４８９Ａ１号明細書
【発明の概要】
【発明が解決しようとする課題】
【０００４】
本発明の課題は、動作信頼性の高さを保ちつつ、装置寸法及び重量を抑制でき、またコストも削減できるように、バルブトレイン切替え装置を形成することである。
【課題を解決するための手段】
【０００５】
この課題は、独立請求項の諸特徴によってそれぞれ解決され、本発明のさらなる形態は従属請求項から読み取ることができる。
【０００６】
本発明は、切替えユニットを備えた内燃エンジンバルブトレイン切替え装置に基づいている。
【０００７】
切替えユニットが、少なくとも２つのスイッチユニットと、少なくとも１つの切替え手段とを備えた少なくとも１つの作動ユニットを有しており、この切替え手段が、少なくとも１つの作動モードにおいて、少なくとも２つのスイッチユニットを、少なくとも部分的には時間的にずれた形で作動させるために設けられている。これによって、必要な切替え手段の数を少なくすることができる。「スイッチユニット」とは、特に、少なくとも１つのバルブトレインの切替え動作を生じさせるために設けられているユニットを意味する。「設けられる」とは、特に、特別に装備され、及び／又は、特別に設計されていることを意味する。「作動ユニット」とは、特に、１つの信号に基づいて少なくとも１つの動作を１回のみ実施するユニットを意味し、また特に、機械的、量子力学的、電気的、及び／又は電磁的な構成部品から構成されていることができ、とりわけ、電子的な構成部品が動作に及ぼす影響が少なくとも非本質的なものであり、特に好ましくは、電子的な構成部品が動作に影響を与えないときには、電子的な構成部品からも構成されていることができる、そのようなユニットを意味する。「スイッチユニット」とは、特に、とりわけ少なくとも１つの切替え手段又はその他のユニットとの相互作用の中でもまた、１つの切替え動作を生じさせるために設けられている、１つのユニットを意味する。「切替え手段」とは、特に、少なくとも１つのスイッチユニット又は他のユニットとの相互作用の中でもまた、切替え動作を生じさせるために設けられている手段を意味する。
【０００８】
本発明の１つの有利な構造では、作動ユニットが、少なくともスイッチユニットの位置に応じて、切替え手段に対して相対的に、これらのスイッチユニットを、少なくとも１つの作動モードにおいて相互に独立に作動させるために設けられている。これによって、必要な切替え手段の数を、さらに少なくすることができる。作動ユニットが１つのスイッチユニットを「作動させる」とは、特に、１つの切替え動作を生じさせることができるような、１つの相互作用、及び／又は作動ユニットの、又はスイッチユニットを備えた作動ユニットの諸部分の、１つの相互影響関係を意味する。作動ユニットが諸々のスイッチユニットを「相互に独立に」作動させるとは、特に、作動ユニットによって１つのスイッチユニットを作動させることが、この作動ユニットによってその他のスイッチユニットを作動させることに対して影響を及ぼさないということを意味する。「作動モード」とは、特に、作動の１つの方式を意味する。
【０００９】
作動ユニットは、電子的解析ユニットを有していることが可能であり、少なくとも１つの信号に基づいて第１の切替え動作を実施した後に、電子的解析に応じて第２の切替え動作を実施するために設けられていることができる。しかし、特に有利なことには、作動ユニットが、少なくとも１つの信号に基づいて第１の切替え動作を実施した後に、電子的解析からは無関係に第２の切替え動作を実施するために設けられている。このときに、「信号」とは、特に、始動動作及び／又はシグナルを意味し、これは例えば、あらかじめ決められた意味を与えられた電流パルスであり、及び／又は作動ユニットの外から誘発された負荷であり、及び／又は機械的構成部品が作動位置に置かれていることであり、及び／又は機械的な相互作用である。「始動動作」とは、特に、機械的、電気的、量子力学的、及び／又は電気機械的な動作を意味し、この動作に基づき、とりわけ、切替え手段を特定の位置に位置することができるようになる。「切替え動作」とは、特に、２つの構成部品の間の相対運動、とりわけ軸方向の相対運動を意味する。１つの切替え動作がもう１つの別の切替え動作の「後」に行われるということは、特に、これらの切替え動作が少なくとも部分的には時間的にずれた形で行われ、及び／又は特に有利なことには、これらの間に時間的なオーバーラップがないということを意味する。電子的な「解析」とは、特に、構成部品、及び／又は１つの状態、及び／又は１つの信号、及び／又は１つの動作の電子的な配列を意味する。電子的解析とは「無関係な」実施とは、特に、機械的、量子力学的、電子的、及び／又は電磁的な方式での自動的な実施を意味する。本発明に基づく構造を用いて、スイッチユニットの簡単な構成を達成することができる。
【００１０】
本発明の１つの好適な実施形態では、作動ユニットは、少なくとも部分的には機械式ユニットとして形成されている。これによって、製作コストを抑制することができる。
【００１１】
さらに、作動ユニットが少なくとも部分的にはトランスミッションとして形成されていることが提案されている。このため、作動ユニットの簡単な構成を達成することができる。トランスミッションは、これを特にカム構造として形成することができる。さらにその他にも、たとえば、ギヤトランスミッション、レバートランスミッション、油圧トランスミッションなどの、当業者には有意であるとみなされるような別のトランスミッションを考えることもできる。
【００１２】
有利なことには、１つのバルブトレインの切替え、及び／又は少なくとも１つのバルブリフト曲線の切替え、及び／又は少なくとも１つのバルブの遮断、及び／又は１つの内燃エンジンの作動モードの少なくとも１つの変更を生じさせるために、作動ユニットが設けられている。これによって、バルブトレインのバルブを簡単かつ効果的に操作することができるようになる。「バルブトレイン」とは、特に、コンポーネントユニットを意味し、このコンポーネントユニットは、往復ピストン機関に基づく内燃エンジンの中で少なくとも部分的にガス交換を可能とするために設けられている。バルブトレインの「切替え」とは、特に、バルブトレインの少なくとも１つの特性及び／又は少なくとも１つの機能を変更するための変更動作、及び／又は相異なった作動モードの間の変更を意味する。「バルブリフト曲線」とは、バルブが割り当てられているシリンダに対して相対的に計測されるバルブリフトを、デカルト座標系においてバルブトレインに割り当てられたドライブシャフトの回転角度に対してプロットした場合に得られる機能のグラフを意味する。「相異なった作動モード」とは、特に、相異なったバルブタイミング及び／又はバルブリフト曲線を備えたバルブを作動させることを意味する。「作動モードの変更」とは、この場合には特に、全負荷、部分負荷、自己着火運転、シリンダ遮断、早いインテーク終了又は遅いインテーク終了による内燃エンジンの作動、又は当業者には有意であると見なされるようなその他の作動モードでの内燃エンジンの作動を意味する。
【００１３】
そのうえ、作動ユニットが、少なくとも１つのスイッチユニットの少なくとも１つの位置変更に応じて、切替え手段に対して相対的に、スイッチユニットの中の１つを作動させるために設けられていることが提案されている。これによって、必要とされるスイッチユニットと、必要不可欠な切替え手段との数を削減することができる。
【００１４】
さらに、作動ユニットの少なくとも２つの切替え手段が、それぞれ、相異なった切替え方向に割り当てられていることが提案されている。このため、切替え動作を、構成部品を節約した方法で形成することができる。「切替え方向」とは、特に、１つの構成部品が、少なくとも部分的には切替え手段によって生じさせられた切替え動作によって、切替え手段に対して相対的に動かされ、とりわけ、直進的に動かされる方向を意味する。原則的には、たとえば直進運動と回転運動とが重ね合わされた運動を考えることもできる。
【００１５】
有利なことには、切替え手段がスイッチユニットに対応しており、これらのスイッチユニットは、それらの運動において少なくとも部分的に連結解除されている。このため、これらのスイッチユニットを、切替え手段に対して相対的に、相異なった方向へ動かすことができる。とりわけ、１つのスイッチユニットを、他のスイッチユニットが切替え手段に対して相対的に動かされている間に、この切替え手段に対して相対的に静止させておくことができる。切替え手段に「対応した」スイッチユニットとは、特に、切替え手段との相互作用の中で１つの切替え動作を可能にするように形成されている１つのスイッチユニットを意味する。それらの運動の中で少なくとも部分的に「連結解除されている」スイッチユニットとは、特に、次のようなスイッチユニットを意味し、それらのスイッチユニットについては、スイッチユニットの少なくとも１つの運動が、その他のスイッチユニットに対して相対的に、少なくとも１つの作動モードにおいて、このスイッチユニットからは独立に行われる。
【００１６】
その上さらに、作動ユニットが、少なくとも１つの作動モードにおいて、スイッチユニットを同時に作動させるために設けられていることが提案されている。これによって、１つの切替え手段が２つのスイッチユニットを、少なくとも部分的には連結解除された状態で作動させることができるということを、構造的に簡単な方法で達成することができる。
【００１７】
本発明の１つの好適な実施形態では、作動ユニットが少なくとも２つの制御手段を有し、これらの制御手段は、作動ユニットの少なくとも２つのスイッチユニットの、相互に対向した端部上に位置決めされている。これによって、特に、個々の制御手段の外周を小さくすることができる。「制御手段」とは、特に、動作を制御するための手段、とりわけ切替え動作を制御するための手段を意味する。特に、スイッチユニットを、特に相異なったシリンダに割り当てられていることの可能な、相異なったバルブに割り当てることができる。特に柔軟な切替えのためには、スイッチユニットを、ただ１つのバルブに割り当ててもよい。 
【００１８】
好適には、制御手段は、少なくとも１つの制御ガイドを形成している。これによって、スイッチユニットと切替え手段との間の切替え動作のための切替え装置を、簡単な方法で実現することができる。「制御ガイド」とは、特に、少なくとも１つの形状、又は縁を備えた複数の形状を意味し、これらの縁は、１つの切替え手段を少なくとも１つの切替え動作の際にガイドするために設けられており、それぞれ別個に又は併合して、たとえば、好ましくは１０°以上、有利な方法では８０°以上、特に好適には１８０°以上の特定の角度範囲を越えて、ドライブシャフト又はドライブシャフトと結合された構成部品の周方向に延長しており、その際に、これらの形状は、空間的に相互に切り離されていることができ、この空間的な分離は切替え動作によって解除可能であることができる。「形状」とは、特に、突出部又は切欠き部を意味し、これらは、当業者には有意であると見なされるような、相異なった延長形態を有することができ、たとえば特に、長く伸びた延長形態を有することができる。形状は、特にスロット又は切込み溝であることができる。「スロット」とは、特に、細い切欠きを意味する。「突出部」とは、特に、その箇所を取り囲む平面に比べて隆起した箇所、及び／又は膨らみを意味する。
【００１９】
本発明の好適な構造では、作動ユニットが、少なくとも１つの制御ガイドを有しており、この制御ガイドは、スイッチユニットの中の少なくとも２つのスイッチユニットによって形成されている。これによって、スイッチユニットが関与している切替え動作のための切替え装置を、特別に簡単な方法で実現することができる。
【００２０】
好適には、制御ガイドは、スイッチユニットが切替え手段によって１つの定義された切替えシーケンスにおいて作動可能であるように形成されている。このため、制御ガイドは、作動の継続中に使用されることができる。「定義された切替えシーケンス」とは、特に、前もって決められた手順に従って行われ、少なくとも部分的には時間的にずらされており、及び／又は分離されている切替え動作を意味し、特に、少なくとも２つの定義された切替えシーケンスが生じる継続的動作にもまた、適している。
【００２１】
さらに、作動ユニットが、少なくとも１つの制御ガイドを有しており、この制御ガイドが、切替え手段との相互作用によってバルブトレインの切替えを生じさせるために設けられていることが提案されている。これによって、バルブリフト曲線の確実な変更を達成することができる。
【００２２】
好適には、スイッチユニットは、少なくとも１つの制御手段を有しており、その際には、この制御手段が、切替え手段との相互作用に基づいて、スイッチユニット及び／又は切替え手段の少なくとも１つの機能を変更するために設けられている。これによって、コンパクトな切替え構成を達成することができる。「機能」とは、特に、作動方式及び特に、その他のコンポーネントユニットとの相互作用における作動方式を意味し、このコンポーネントユニットは、たとえば切替え手段又はスイッチユニットであることができる。
【００２３】
これに連関して、その機能が、切替え手段をスイッチユニットの中へ挿入すること、及び／又は、切替え手段をスイッチユニットの中から排出すること、及び／又はスイッチユニットを切替え手段によって作動させること、及び／又は切替え手段を一方のスイッチユニットからもう一方のスイッチユニットへと転換すること、及び／又はスイッチユニットの動きを静止させることによって、１つの有利点を達成することができる。このため、効果的な機械的切替え装置を実現することができる。切替え手段をスイッチユニットの中へ「挿入する」とは、特に、突出部又はピンとして形成された切替え手段を、スイッチユニットの切り込み溝又はスロットの中へ挿入することを意味する。切替え手段をスイッチユニットの中から「排出する」とは、特に、突出部又はピンとして形成された切替え手段を、スイッチユニットの切り込み溝又はスロットから取り外すことを意味する。さらに、スイッチユニットの動きを「静止させる」とは、切替え手段に対するスイッチユニットの相対的な運動の後で、スイッチユニットを、切替え手段に対して相対的に不動化することを意味する。
【００２４】
好適には、作動ユニットが、少なくとも１つの制御ガイドを有しており、この制御ガイドは、切替え手段によって少なくとも１つの半径方向に当接されるために設けられている。このため、切替え手段と制御ガイドとの間の構造的に簡単な相互作用を達成することができる。「半径方向」とは、特に、ドライブシャフトに関する半径の方向を意味する。切替え手段による制御ガイドへの「当接」とは、特に、切替え手段が、運動の際に制御ガイドの形状に当たるために、及び／又は力を用いて作用するために設けられていることを意味する。
【００２５】
さらには、作動ユニットがカムシャフトを有し、少なくともその大部分では、それらによって、このカムシャフトに割り当てられているバルブのバルブリフト曲線が変更可能であるようなスイッチユニットを有し、スイッチユニットが、切替え手段によって作動させられるために設けられていることが提案されている。これによって、コヒーレントな切替えを達成することができ、そのため、個別のカムの不完全な切替えを防止することができる。「大部分」とは、特に、総数の少なくとも５０％、特に、少なくとも７０％、特に有利には少なくとも９０％を意味する。バルブは、特に、そのバルブがカムシャフトによって間接的又は直接的に開放され、及び／又は閉鎖されるとき、カムシャフトに「割り当てられて」いることができる。
【００２６】
この切替え手段は、好適には、切替えピンとして形成されている。そのため、切替え手段を、コストを抑えつつ実施することが可能である。
【００２７】
有利なことには、スイッチユニットと、少なくとも１つの切替え手段とが、互いの相互作用によって切替え手段に対して相対的なスイッチユニットの軸方向の移動を生じさせ、それによってバルブトレインの切替えを生じさせるために設けられている。これによって、バルブトレインを構造的に簡単な方法で切替えることができる。スイッチユニットの「軸方向の」移動とは、特に、カムシャフトであり得るドライブシャフトの、主軸方向における、スイッチユニットの移動を意味する。
【００２８】
さらに、スイッチユニットが、少なくとも部分的には相異なった輪郭を備えたカムを備えたカムシャフトの、軸方向に移動可能な部分として形成されていることが提案されている。このような方法で、スイッチユニットは、切替え動作を直接的にカムにおいて実施することができる。「カム」とは、特に、作動モードにおいて回転する、カムシャフトとして形成されていることが可能なシャフト上の、曲線状の突出部を意味する。「少なくとも部分的には相異なって形成された輪郭」とは、特に、相異なったカム及び／又は１つのカムの、突出部の相異なった伸長を意味する。
【００２９】
さらなる有利点が、以下の図の説明で明らかにされる。図の中では、本発明の１つの実施形態が説明されている。説明と請求項との中には、組み合わせられた数多くの特徴が含まれている。当業者は、これらの特徴を適切な方法で詳細に検討し、さらなる有意な組み合わせにまとめるであろう。
【図面の簡単な説明】
【００３０】
【図１】切替えユニットを備えた内燃エンジンバルブトレイン切替え装置の部分図である。
【図２】制御ガイドの展開図である。
【図３】２つの制御ガイドの平面展開図である。
【図４ａ】右方向への切替え動作の第１ステップにおける中間状態を示す図である。
【図４ｂ】右方向への切替え動作の第１ステップにおける中間状態を示す図である。
【図５ａ】右方向への切替え動作の第２ステップにおける中間状態を示す図である。
【図５ｂ】右方向への切替え動作の第２ステップにおける中間状態を示す図である。
【図６ａ】右方向への切替え動作の第３ステップにおける中間状態を示す図である。
【図６ｂ】右方向への切替え動作の第３ステップにおける中間状態を示す図である。
【図７ａ】右方向への切替え動作の第４ステップにおける中間状態を示す図である。
【図７ｂ】右方向への切替え動作の第４ステップにおける中間状態を示す図である。
【図８ａ】右方向への切替え動作の第５ステップにおける中間状態を示す図である。
【図８ｂ】右方向への切替え動作の第５ステップにおける中間状態を示す図である。
【図９ａ】右方向への切替え動作の第６ステップにおける中間状態を示す図である。
【図９ｂ】右方向への切替え動作の第６ステップにおける中間状態を示す図である。
【図１０ａ】右方向への切替え動作の第７ステップにおける中間状態を示す図である。
【図１０ｂ】右方向への切替え動作の第７ステップにおける中間状態を示す図である。
【図１１ａ】右方向への切替え動作の第８ステップにおける中間状態を示す図である。
【図１１ｂ】右方向への切替え動作の第８ステップにおける中間状態を示す図である。
【図１２ａ】左方向への切替え動作の第１ステップにおける中間状態を示す図である。
【図１２ｂ】左方向への切替え動作の第１ステップにおける中間状態を示す図である。
【図１３ａ】左方向への切替え動作の第２ステップにおける中間状態を示す図である。
【図１３ｂ】左方向への切替え動作の第２ステップにおける中間状態を示す図である。
【図１４ａ】左方向への切替え動作の第３ステップにおける中間状態を示す図である。
【図１４ｂ】左方向への切替え動作の第３ステップにおける中間状態を示す図である。
【図１５ａ】左方向への切替え動作の第４ステップにおける中間状態を示す図である。
【図１５ｂ】左方向への切替え動作の第４ステップにおける中間状態を示す図である。
【図１６ａ】左方向への切替え動作の第５ステップにおける中間状態を示す図である。
【図１６ｂ】左方向への切替え動作の第５ステップにおける中間状態を示す図である。
【図１７ａ】左方向への切替え動作の第６ステップにおける中間状態を示す図である。
【図１７ｂ】左方向への切替え動作の第６ステップにおける中間状態を示す図である。
【図１８ａ】左方向への切替え動作の第７ステップにおける中間状態を示す図である。
【図１８ｂ】左方向への切替え動作の第７ステップにおける中間状態を示す図である。
【図１９ａ】左方向への切替え動作の第８ステップにおける中間状態を示す図である。
【図１９ｂ】左方向への切替え動作の第８ステップにおける中間状態を示す図である。
【発明を実施するための形態】
【００３１】
図１は、切替えユニット３６を備えた内燃エンジンバルブトレイン切替え装置を示しており、この切替えユニットは、２つのアクチュエータ６４、６５と、カムシャフト４６と、作動ユニット３８と、を有し、この作動ユニットは、信号に基づいて第１の切替え動作を実施した後に、電子的解析とは無関係に第２の切替え動作を実施するために設けられている。作動ユニット３８は、機械的構成部品のみを有し、それゆえに、機械的ユニット４０として形成されている。さらに、作動ユニット３８は、２つの、それぞれが１つの切替えピンによって形成された切替え手段３、４を含み、これらの切替え手段は、アクチュエータ６４、６５によって作動可能であり、もしくはアクチュエータ６４、６５から引き出されることが可能である。そのうえ、作動ユニット３８は、スイッチユニット１、２を含んでおり、これらのスイッチユニットは、カムシャフト４６の部分である。スイッチユニット１、２は、共通した主軸方向を有し、この主軸方向は、カムシャフト４６の主軸方向と一致する。これと同様に、切替え手段３、４は、共通した主軸方向を有し、この主軸方向は、カムシャフト４６と、スイッチユニット１、２と、に対して半径方向に伸びている。
【００３２】
切替え手段３、４が、２つのスイッチユニット１、２を作動させるためにそれぞれ設けられている。切替え手段３、４の主軸方向に、スイッチユニット１、２の方へ行われる切替え手段３，４の引出しでは、まず、スイッチユニット１、２の当接が起こり、その後に切替え手段３、４とスイッチユニット１、２との間の相互作用が生じる。この相互作用は、図４ａ〜図１９ｂによって説明されており、この相互作用に基づいて、スイッチユニット１、２の軸方向での移動が、切替え手段３、４に対して相対的に、スイッチユニット１、２の主軸方向に沿って行われる。スイッチユニット１、２の軸方向での移動とともに、スイッチユニット１、２に属するカム７、８、４８、５０、２６、２７、２８、２９、３０、３１の、軸方向での移動が行われる。カム７、８および４８、５０は、相異なった輪郭を有し、これは、カム８、５０の軸方向での最大限の伸長が、カム４８、７の軸方向での最大限の伸長とは異なっているような種類の輪郭である。カムシャフト４６がカム７、８、４８、５０、２６、２７、２８、２９、３０、３１だけを含んでいるので、２つの切替え手段３、４は、それぞれ、スイッチユニット１、２を作動させることができ、これらのスイッチユニット１、２によって、カムシャフト４６に割り当てられたバルブのバルブリフト曲線を変更することが可能である。
【００３３】
スイッチユニット１は、制御手段５２を有し、この制御手段５２は、４つの切り込み溝によって形成された部分９、１１、１３、１６、１８（図３を参照）によって形成されている。さらに、スイッチユニット２は、制御手段５４を有し、この制御手段５４は、４つの切り込み溝によって形成された部分１０、１２、１４、１５、１７（図３を参照）によって形成されている。制御手段５２、５４は、スイッチユニット１、２の端部領域、乃至は端部５６、５８上に位置決めされており、これらのスイッチユニット１、２は、カムシャフト４６の主軸方向において、相互に向き合わされており、直接的に互いに隣接している。制御手段５２、５４は、制御ガイド５、６を形成しており、これらの制御ガイド５、６は、カムシャフト４６の主軸方向において、相前後して配置されている。したがって、制御ガイド５、６は、それぞれ、２つのスイッチユニット１、２によって形成されている。
【００３４】
切替え手段３、４は、これらが切替え動作の際に制御ガイド５、６に半径方向に当接することができるように配置されている。切替え手段３、４は、カムシャフト４６の主軸方向に沿って、制御ガイド６、５と同じ順序で、相前後して配置されている。切替え手段３は、制御ガイド６に当接することができ、切替え手段４は、制御ガイド５に当接することができる。 
【００３５】
図２は、制御ガイド５又は６の展開図であり、これらの制御ガイド５、６は、カムシャフトの１回転分以上にわたり、しかも、ほぼ５４０°以上にわたって伸長している。原則的には、当業者には有意であると見なされるような別の角度範囲を考えることもできる。
【００３６】
本発明に基づいて、制御ガイド５、６は、どちらも、スイッチユニット２から別のスイッチユニット１への切替え動作、及びその逆の切替え動作が行われる間に、切替え手段３、４の変更を可能にする。
【００３７】
図３は、制御ガイド５及び６の平面展開図であり、これらの制御ガイド５、６は、トランスミッション４２を形成しており、このトランスミッション４２は、カム構造として形成されている。２つの制御ガイド５、６の展開図は、スイッチユニット１、２の展開図の、２つのＬ字型をした部分によって形成されており、これらの部分は、相異なった切替え手段３、４が関与する２つの切替え動作の間には、矩形の形状を為す。１つのＬ字型部分は、それぞれ、制御ガイド５、６の２つの半分を含んでおり、これらの２つの半分は、相異なった制御ガイド５、６に属している。制御ガイド５、６は、９〜１８までの部分を有し、これらの部分は、切替え手段３、４との相互作用において、切替え手段３、４及び／又はスイッチユニット１、２の相異なった機能を生じさせる。その場合に、制御ガイド５、６の相異なった９〜１８までの部分は、カムシャフト４６の回転角度に応じて（図１を参照）、切替え手段３、４と作動連結される。
【００３８】
これらの９〜１８までの部分とは、挿入部分９及び１０と、作動部分１１及び１２と、排出部分１３及び１４と、転換部分１５及び１６と、静止部分１７及び１８と、のことである。これらの機能とは、制御ガイド５、６の挿入部分９、１０の中へ切替え手段３、４を挿入することであり、制御ガイド５、６の排出部分１３、１４の中から切替え手段３、４を排出することであり、スイッチユニット１、２を作動部分１１、１２の中にある切替え手段３、４を越えてさらに移動させることによって、スイッチユニット１、２の中の少なくとも１つを作動させることであり、切替え手段３、４をスイッチユニット１、２から別のスイッチユニット１、２へと転換することであり、スイッチユニット１、２の中の１つの切替え運動を静止させることである。切替え手段３、４は、カムシャフト４６の回転方向に応じて、相異なった順序で９〜１８までの部分と作動連結される。
【００３９】
図４ａ、４ｂ〜１１ａ、１１ｂ並びに１２ａ、１２ｂ〜１９ａ、１９ｂは、個別の中間状態に基づいて、カムシャフト４６のカム７、８、４８、５０によって（図１を参照）作動させられるバルブトレインの、２つのスイッチユニット１、２の軸方向での移動による切替えを示しており、この場合に、図４ａ、４ｂ〜１１ａ、１１ｂでは右方向への切替え動作が説明されており、図１２ａ、１２ｂ〜１９ａ、１９ｂでは左方向への切替え動作が説明されている。左方向への切替え動作では、端部５６、５８が、切替え手段３、４に対して相対的に、カム４８、５０の方向において、カムシャフト４６の主軸方向６２の方向へ（図１６ａ及びｂを参照）動かされる（図１を参照）ように、そのようにスイッチユニット１、２が動かされる。右方向への切替え動作では、これに対して反対の主軸方向６０へ（図５ａ及びｂを参照）、スイッチユニット１、２が動かされる。右方向への切替え動作と、左方向への切替え動作とは、それぞれ、２つの切替え動作からなり、これらの切替え動作の中では、個別のスイッチユニット１、２が、切替え手段３、４に対して相対的に、軸方向へ動かされる。
【００４０】
以下では、右方向への切替え動作が詳しく説明される。図４ａ及び４ｂに基づく第１のステップでは、右側の切替え手段３が、アクチュエータ６５（図１を参照）により、アクチュエータ６５によって磁界という形で与えられた信号に基づき、制御ガイド６の挿入部分９の中へ挿入される。図５ａ及び５ｂに基づく第２のステップでは、右側の切替え手段３が、制御ガイド６の作動部分１２の中にあり、右側のスイッチユニット２を、カムシャフト４６の、軸方向である主軸方向６０の方向へ向けて（図１を参照）移動させ始める。図６ａ及び６ｂに基づく第３のステップでは、右側のスイッチユニット２の移動が減速し、その後に完了する。切替え手段３、４に対して相対的な位置変更である、スイッチユニット２の移動の後で、切替え手段３がスイッチユニット１を作動させる。図７ａ及び７ｂに基づく第４のステップでは、右側の切替え手段３が、スイッチユニット１の制御ガイド６の作動部分１１の直前にある。図８ａ及び８ｂに基づく第５のステップでは、右側の切替え手段３が、左側のスイッチユニット１の制御ガイド６の作動部分１１の中にあり、主軸方向６０の方向へ移動を始めている。図９ａ及び９ｂに基づく第６のステップでは、左側のスイッチユニット１の移動が完了している。図１０ａ及び１０ｂに基づく第７のステップでは、右側の切替え手段３が、右側のスイッチユニット２の制御ガイド６の排出部分１４の中にあり、垂直軸１９の方向における初期位置の中へと押し戻される。この垂直軸１９は、カムシャフト４６に対して半径方向に（図１を参照）伸びている。図１１ａ及び１１ｂに基づく第８のステップでは、右側の切替え手段３が、再び初期位置にある。このように、スイッチユニット１、２が切替え手段３、４に対して相対的に右側へ移動させられる、２つの切替え動作は、アクチュエータ６４又はアクチュエータ６５が（図１を参照）信号を与えた後に行われ、カムシャフト４６が回転している際に自動的に、したがって、それ以上の、作動ユニット３８の外側から与えられるような信号なしに行われる。スイッチユニット１、２が順序に従って左側へ移動させられる切替え動作についても、これと同じことがあてはまる。一方のスイッチユニット１、２が左側又は右側へ移動させられる切替え動作の前半が行われている間には、カムシャフト４６の回転の角速度が変化することもあり得るが、他方のスイッチユニット１、２がこれと同じ方向へ向けて軸方向で移動させられる、切替え動作の後半は、自動的に行われ、角速度の電子的測定又はその他の電子的解析とは無関係に行われる。
【００４１】
以下では、左方向への切替え動作が詳しく説明される。図１２ａ及び１２ｂに基づく第１のステップでは、左側の切替え手段４が、アクチュエータ６４によって与えられた信号に基づき、アクチュエータ６４（図１を参照）により、制御ガイド５の挿入部分１０の中へ挿入される。図１３ａ及び１３ｂに基づく第２のステップでは、左側の切替え手段４が、左側のスイッチユニット１の制御ガイド５の作動部分１１の直前にある。図１４ａ及び１４ｂに基づく第３のステップでは、左側の切替え手段４が、左側のスイッチユニット１の制御ガイド５の作動部分１１の中にあり、左側のスイッチユニット１を、これもまた軸方向である主軸方向６２の方向へ移動させ始める。図１５ａ及び１５ｂに基づく第４のステップでは、左側のスイッチユニット１の移動が完了する。図１６ａ及び１６ｂに基づく第５のステップでは、右側のスイッチユニット２の、主軸方向６２の方向へ向けた左側への移動が始まる。このように、スイッチユニット１、２を左側へ移動させるためには、切替え手段４が、スイッチユニット１、２を相互に独立に作動させなければならない。図１７ａ及び１７ｂに基づく第６のステップでは、右側のスイッチユニット２の移動が減速され、その後に完了する。図１８ａ及び１８ｂに基づく第７のステップでは、左側の切替え手段４が、左側のスイッチユニット１の制御ガイド５の排出部分１３の中にあり、垂直軸２０の方向における初期位置の中へと押し戻される。図１９ａ及び１９ｂに基づく第８のステップでは、左側の切替え手段４が、再び初期位置にある。切替え手段４を１つのスイッチユニット１、２から別のスイッチユニット１、２へ転換する際には、２つのスイッチユニット１、２が時間的に同時に作動させられる。右方向への切替え動作についても、これに類似した事情が当てはまる。以上で説明された全ての切替え動作の際には、切替え手段３、４が、スイッチユニット１、２に対応している。
【００４２】
制御ガイド５、６の特性に基づき、２つのスイッチユニット１、２は、切替え手段３、４によって、定義された切替えシーケンスにおいて作動可能である。それゆえに、左側への切替え動作と、右側への切替え動作とは、交互に連続して、原理的には任意の頻度で反復可能である。その場合に、スイッチユニット１、２は、挿入と、作動と、転換と、静止とのための制御ガイド５、６によって、何度も繰り返し、相異なった切替え状態にされる。
【００４３】
左方向もしくは右方向への切替え動作では、スイッチユニット１、２が、別個に次々と、左方向もしくは右方向の同じ方向へ移動させられる。このように、スイッチユニット１、２は、カムシャフト４６の主軸方向（図１を参照）へ向けたそれらの運動において、部分的には連結解除される。
【００４４】
以上で説明された切替え動作に基づき、左側の切替え手段４によって左側への切替え動作が実施され、右側の切替え手段３によって右側への切替え動作が行われることが明白である。そのため、各切替え手段３、４には、それぞれ、１つの切替え方向が割り当てられている。
【００４５】
以上で説明されたバルブトレインの切替えにおいて、作動モードにおけるカムシャフト４６の回転に基づいて開放され、閉鎖されるバルブのバルブリフト曲線が変更される。さらに、切替えによって、バルブを遮断することができ、それによってバルブを閉鎖されたままにしておくことができる。バルブリフト曲線の変更に付随して、内燃エンジンの動作モードの変更を行うことができる。
【図１】
2010535966.tif 000003
【図２】
2010535966.tif 000004
【図３】
2010535966.tif 000005
【図４ａ】
2010535966.tif 000006
【図４ｂ】
2010535966.tif 000007
【図５ａ】
2010535966.tif 000008
【図５ｂ】
2010535966.tif 000009
【図６ａ】
2010535966.tif 000010
【図６ｂ】
2010535966.tif 000011
【図７ａ】
2010535966.tif 000012
【図７ｂ】
2010535966.tif 000013
【図８ａ】
2010535966.tif 000014
【図８ｂ】
2010535966.tif 000015
【図９ａ】
2010535966.tif 000016
【図９ｂ】
2010535966.tif 000017
【図１０ａ】
2010535966.tif 000018
【図１０ｂ】
2010535966.tif 000019
【図１１ａ】
2010535966.tif 000020
【図１１ｂ】
2010535966.tif 000021
【図１２ａ】
2010535966.tif 000022
【図１２ｂ】
2010535966.tif 000023
【図１３ａ】
2010535966.tif 000024
【図１３ｂ】
2010535966.tif 000025
【図１４ａ】
2010535966.tif 000026
【図１４ｂ】
2010535966.tif 000027
【図１５ａ】
2010535966.tif 000028
【図１５ｂ】
2010535966.tif 000029
【図１６ａ】
2010535966.tif 000030
【図１６ｂ】
2010535966.tif 000031
【図１７ａ】
2010535966.tif 000032
【図１７ｂ】
2010535966.tif 000033
【図１８ａ】
2010535966.tif 000034
【図１８ｂ】
2010535966.tif 000035
【図１９ａ】
2010535966.tif 000036
【図１９ｂ】
2010535966.tif 000037
【国際調査報告】
2010535966.tif 000038
2010535966.tif 000039
2010535966.tif 000040
2010535966.tif 000041
2010535966.tif 000042
2010535966.tif 000043